(57)【特許請求の範囲】
【請求項１】
巻上機に設けられた制動用回転体をそれぞれ制動する二組の制動機と、条体をなす外筒及びこの外筒に挿通された芯線によって構成された可撓性ケーブルからなり上記制動機のそれぞれに設けられて一端が上記制動機に連結され、上記芯線が牽引されて上記制動機の制動作用を解放する解放用ケーブルと、これらの解放用ケーブルの他端側における上記外筒がそれぞれ保持された固定部及びこの固定部に装備されて上記芯線がそれぞれ連結され上記芯線を牽引する操作レバーが設けられて、人為操作による上記操作レバーの操作を介して上記制動機の制動作用を解放する操作具とを備え、一方の上記解放用ケーブルの他端側における外筒端部の上記操作具の固定部による保持を解除して上記操作レバーの操作による上記芯線の牽引作用を解消するエレベーター巻上機の制動力設定装置。
【請求項２】
人為操作によって要時に一側が操作レバーに係止され、他側は一方の解放用ケーブルの他端側における外筒端部を保持して上記操作レバーの操作による上記芯線の牽引作用を解消する保持片を備えたことを特徴とする請求項１記載のエレベーター巻上機の制動力設定装置。
【請求項３】
巻上機の制動力設定作業時に操作具を、上記巻上機によって運転されるエレベーターの乗場床に仮設したことを特徴とする請求項１及び請求項２のいずれか一つに記載のエレベーター巻上機の制動力設定装置。
【発明の詳細な説明】
【０００１】
【発明の属する技術分野】
この発明は、制動用回転体をそれぞれ制動する二組の制動機が設けられたエレベーター巻上機の制動力設定装置に関する。
【０００２】
【従来の技術】
図７〜図１１は、例えば特開平８−４０６７６号公報に示された構成に類似したエレベーター装置を示す図で、図７はエレベーターの構成を概念的に示す立面図、図８は図７における巻上機の制動力設定作業を説明する図、図９は図８における制動機の解放用ケーブルの配置を概念的に示す図、図１０は図９の操作具の拡大図、図１１は図１０の正面図である。
【０００３】
図において、１は昇降路、２は昇降路１の下部に設置された主索巻取り式の巻上機で、電動機３、駆動綱車４、ブレーキディスクすなわち制動用回転体５、制動用回転体５を制動する第一制動機６及び第一制動機６とは離れて配置されて制動用回転体５を制動する第二制動機７が設けられている。８は昇降路１の上部に互いに離れて枢着された滑車、９は昇降路１の所定経路を昇降するかごである。
【０００４】
１０は主索で、一端がかご９に連結されて上昇し滑車８に巻掛けられて、下降し巻上機２の駆動綱車４に巻掛けられている。１１は第一制動機６の制動作用を解放する可撓性ケーブルからなる第一解放用ケーブルで、条体をなす外筒１２及びこの外筒１２に挿通された芯線１３によって構成され、外筒１２の一端は第一制動機６の固定部に固定され、また芯線１３の一端は第一制動機６の解放レバーに連結されている。
【０００５】
１４は第二制動機７の制動作用を解放する可撓性ケーブルからなる第二解放用ケーブルで、条体をなす外筒１５及びこの外筒１５に挿通された芯線１６によって構成され、外筒１５の一端は第二制動機７の固定部に固定され、また芯線１６の一端は第二制動機７の解放レバーに連結されている。１７はかご９の異常停止時に第一制動機６及び第二制動機７の制動作用を解除してかご９を救出運転する操作具で、救出作業時に昇降路１の下部近くの乗場床に載置される操作具で、次に述べるように構成されている。
【０００６】
すなわち、操作具１７は鉛直部１８を有する台からなる固定部１９、鉛直部１８面及び固定部１９の台の面に長手が平行に配置された軸２０及びＬ字状をなしＬ字の屈折部が軸２０に枢持された操作レバー２１が設けられている。そして、鉛直部１８には第一解放用ケーブル１１の外筒１２の他端が締結され、また第二解放用ケーブル１４の外筒１５の他端が締結される。
【０００７】
また、Ｌ字状の操作レバー２１にはＬ字の一部からなり、軸２０の長手方向における両側に上向きのＬ字短辺２２が形成され、一方のＬ字短辺２２には第一解放用ケーブル１１の芯線１３の他端が連結され、また他方のＬ字短辺２２には第二解放用ケーブル１４の芯線１６の他端が連結される。
【０００８】
２３は巻上機２の制動力設定作業時にかご９に積み込まれる設定用おもりで、多数のおもり片からなり、定格積載荷重の二倍の重量が積み込まれて制動能力が検定される。なお、かご９の定格積載荷重の二倍の重量が巻上機２の制動作用の検定の基準として規定されている。
【０００９】
上記のように構成されたエレベーター装置において、制動動作の信頼性を向上するため巻上機２に同じ制動能力を有する第一制動機６及び第二制動機７が設けられている。そして、巻上機２が付勢されると第一制動機６及び第二制動機７による制動が電磁動作によって解除されて駆動綱車４が回転する。これによって、主索１０を介してかご９が昇降して所要の乗場に到達すると第一制動機６及び第二制動機７が、ばね動作によって制動用回転体５を押圧して制動動作し、停止したかご９がその位置に保持される。
【００１０】
また、かご９の異常停止時にかご９を救出運転する場合には、操作具１７が乗場床に仮設されて操作レバー２１が作業員によって図１１に示す矢印Ａ方向へ押し下げられる。これにより、第一解放用ケーブル１１の芯線１３、第二解放用ケーブル１４の芯線１６が、外筒１２、外筒１５に対して牽引されて、第一制動機６及び第二制動機７のばね動作に抗して制動作用が解除される。
【００１１】
次いで、かご９の重量によってかご９を昇降させて近くの乗場に対向した状態で、操作レバー２１の押圧を止めて巻上機２をばね動作によって制動する。そして、この状態においてかご９内の乗客が乗場へ救出される。なお、制動作用の解除時に操作具１７に設けられた一つの操作レバー２１を一動作により操作することによって、すなわち簡易な操作によって容易に第一制動機６及び第二制動機７の制動作用を解除できるように構成されている。
【００１２】
【発明が解決しようとする課題】
上記のようなエレベーター装置において、巻上機の制動力設定作業時に第一制動機及び第二制動機を制動動作させて、制動作用を同時に検定して制動力を設定することになる。したがって、制動作用の検定荷重として設定された基準の重量、例えばかご９に定格積載荷重の二倍の重量の設定用おもりを積み込む必要があって、多くの労力と作業時間を要するという問題点があった。
【００１３】
この発明は、かかる問題点を解消するためになされたものであり、二組の制動機を有する巻上機が設けられたエレベーターにおいて容易に制動力を設定できるエレベーター巻上機の制動力設定装置を得ることを目的とする。
【００１４】
【課題を解決するための手段】
この発明に係るエレベーター巻上機の制動力設定装置においては、巻上機に設けられた制動用回転体をそれぞれ制動する二組の制動機と、条体をなす外筒及びこの外筒に挿通された芯線によって構成された可撓性ケーブルからなり制動機のそれぞれに設けられて一端が制動機に連結され、芯線が牽引されて制動機の制動作用を解放する解放用ケーブルと、これらの解放用ケーブルの他端側における外筒がそれぞれ保持された固定部及びこの固定部に装備されて芯線がそれぞれ連結され芯線を牽引する操作レバーが設けられて、人為操作による操作レバーの操作を介して制動機の制動作用を解放する操作具とが設けられる。そして、一方の解放用ケーブルの他端側における外筒端部の操作具の固定部による保持を解除して操作レバーの操作による芯線の牽引作用が解消される。
【００１５】
また、この発明に係るエレベーター巻上機の制動力設定装置においては、人為操作によって要時に一側が操作レバーに係止され、他側は一方の解放用ケーブルの他端側における外筒端部を保持して上記操作レバーの操作による上記芯線の牽引作用を解消する保持片が設けられる。
【００１６】
また、この発明に係るエレベーター巻上機の制動力設定装置においては、巻上機の制動力設定作業時に操作具が、巻上機によって運転されるエレベーターの乗場床に仮設される。
【００１７】
【発明の実施の形態】
実施の形態１．
図１〜図６は、この発明の実施の形態の一例を示す図で、図１は前述の図１０相当図、図２は図１の正面図、図３は図１の保持片の拡大斜視図、図４は前述の図１０に示す状態の操作具に保持片を装着する状況を説明する図、図５は図１における解放用ケーブルの動作状態を説明する図、図６は図１における解放用ケーブルの他の動作状態を説明する図である。なお、図１〜図６の他は前述の図７〜図１１と同様にエレベーター装置が構成されている。
【００１８】
図において、１７はかご９の異常停止時に第一制動機６及び第二制動機７の制動作用を解除してかご９を救出運転する操作具で、救出作業時に昇降路１の下部近くの乗場床に載置される。また、操作具１７は前述の図１０と同様に構成されている。すなわち、操作具１７は鉛直部１８を有する台からなる固定部１９、鉛直部１８面及び固定部１９の台の面に長手が平行に配置された軸２０及びＬ字状をなしＬ字の屈折部が軸２０に枢持された操作レバー２１が設けられている。
【００１９】
２４はねじ棒の中心に芯線１３、芯線１６が挿通される貫通孔が設けられた端部金具である。そして、第一解放用ケーブル１１の外筒１２の操作具１７側の端部及び第二解放用ケーブル１４の外筒１５の操作具１７側の端部が、それぞれ操作具１７の鉛直部１８位置に配置されて、外筒１２及び外筒１５の端部にそれぞれ端部金具２４が設けられる。また、端部金具２４は操作具１７の鉛直部１８の上縁部に設けられて上方に開口した切欠部２５に着脱可能に嵌合される。
【００２０】
また、Ｌ字状の操作レバー２１にはＬ字の一部からなり、操作レバー２１の軸２０における長手方向の両側に上向きのＬ字短辺２２が形成され、一方のＬ字短辺２２には第一解放用ケーブル１１の芯線１３の操作具１７側の端部が連結され、また他方のＬ字短辺２２には第二解放用ケーブル１４の芯線１６の操作具１７側の端部が連結される。２６は端部金具２４にねじ込まれたナットで、操作具１７の鉛直部１８の両面又は後述する保持具の両面に配置される。
【００２１】
２７は帯板がＬ字状に屈折されてなる保持具で、Ｌ字の一辺には操作具１７のＬ字短辺２２の先端に嵌合する第一切欠部２８が、またＬ字の他辺には端部金具２４が嵌合する第二切欠部２９が設けられ、要時に図４に示す状況を経て図１及び図２に示す状態に操作レバー２１と端部金具２４に係止される。
【００２２】
上記のような構成において、前述の図７〜図１１に示すエレベーター装置と同様に制動動作の信頼性を向上するため巻上機２に同じ制動能力を有する第一制動機６及び第二制動機７が設けられている。そして、巻上機２が付勢されると第一制動機６及び第二制動機７による制動が電磁動作によって解除されて駆動綱車４が回転する。これによって、主索１０を介してかご９が昇降して所要の乗場に到達すると第一制動機６及び第二制動機７が、ばね動作によって制動用回転体５を押圧して制動動作し、停止したかご９がその位置に保持される。
【００２３】
また、かご９の異常停止時にかご９を救出運転する場合には、操作具１７が乗場床に仮設されて操作レバー２１が作業員によって図１１に示す矢印Ａ方向へ押し下げられる。これにより、図５に示すように第一解放用ケーブル１１の芯線１３、第二解放用ケーブル１４の芯線１６が、外筒１２、外筒１５に対して牽引される。これにより、第一制動機６及び第二制動機７のばね動作に抗して制動作用が解除される。
【００２４】
次いで、かご９の重量によってかご９を昇降させて近くの乗場に対向した状態で、操作レバー２１の押圧を止めて巻上機２をばね動作によって制動する。そして、この状態においてかご９内の乗客が乗場へ救出される。なお、制動作用の解除時に操作具１７に設けられた一つの操作レバー２１を一動作により操作することによって、すなわち簡易な操作によって容易に第一制動機６及び第二制動機７の制動作用を解除できるように構成されている。
【００２５】
また、巻上機２の制動力設定作業時には、先ず次に述べる準備作業が行われる。すなわち、操作具１７が乗場床に仮設されて、前述の図１０の状態において操作具１７の固定部１９、すなわち鉛直部１８から第一解放用ケーブル１１、第二解放用ケーブル１４の一方の端部金具２４が取り外される。
【００２６】
以下、例えば第一解放用ケーブル１１の芯線１３の牽引作用を解消するものとして説明する。すなわち、第一解放用ケーブル１１の端部金具２４が、ナット２６を緩めて固定部１９の鉛直板１８から取り外される。そして、図４に示す状態を経て保持具２７の第一切欠部２８が操作具１７のＬ字短辺２２の先端に嵌合されて保持される。
【００２７】
また、保持具２７の第二切欠部２９が、操作具１７の鉛直部１８から取り外された第一解放用ケーブル１１の端部金具２４に嵌合されてナット２６によって挟圧されて締結される。これによって、図１及び図２に示す状態となり、第一解放用ケーブル１１の端部金具２４、すなわち外筒１２の操作具１７側の端部は、第一解放用ケーブル１１の芯線１３の操作具１７側の端部に対して、操作レバー２１の回動動作に関わらず所定位置に保持される。
【００２８】
したがって、操作レバー２１が回動動作して変位し、第一解放用ケーブル１１の芯線１３の操作具１７側の端部が移動しても、図６に示すようにその移動が第一解放用ケーブル１１の配線の長手中間部における変位によって吸収される。このため、芯線１３の第一制動機６側が変位することはなく、第一制動機６の制動作用が解除されることはない。
【００２９】
したがって、このような装置構成において操作レバー２１を操作して回動したときに、第一制動機６の制動作用が解除されず、第二解放用ケーブル１４の芯線１６のみが牽引されて動作して第二制動機７の制動作用が解除される。これにより、第一制動機６についてのみ巻上機２の制動力設定が行われる。
【００３０】
このため、巻上機２の制動力設定のためにかご９に積み込まれる設定用おもり２３の重量は、制動作用の検定荷重として設定された基準の重量、すなわちかご９に定格積載荷重の二倍の重量に対して１／２となる。例えば、かご９の定格積載荷重が４５０kgのときに、第一制動機６及び第二制動機７の両者の制動力設定を同時に行う場合には、設定用おもり２３重量が９００kgを要するが、上記両者の一方の制動力設定を行うときには４５０kgで済む。
【００３１】
そして、かご９に４５０kgの設定用おもり２３が積み込まれて、操作具１７の操作レバー２１が図２に示す矢印Ａ方向に押し下げられる。これにより、第二制動機７の制動作用が解除され第一制動機６の制動作用によって、積み込まれた設定用おもり２３に対応した吊持荷重が支持されることによって、第一制動機６の制動能力が検定される。
【００３２】
このように、制動作用の検定荷重として設定用おもり２３をかご９に積み込み、また撤去する作業の労力と作業時間が半減するので、容易に巻上機２の制動力を設定でき作業能率が向上し、費用を節減することができる。
【００３３】
なお、上述の例において第一制動機６の制動能力の検定後に、第一解放用ケーブル１１の外筒１２の端部金具２４が、保持具２７から取り外されて操作具１７の鉛直部１８に装着される。そして、第二解放用ケーブル１４の外筒１２の端部金具２４が操作具１７の鉛直部１８から取り外されて保持具２７の第二切欠部２９に装着される。
【００３４】
この状態で、操作具１７の操作レバー２１が図２に示す矢印Ａ方向に押し下げられる。これにより、第一制動機６の制動作用が解除され第二制動機７の制動作用によって、積み込まれた設定用おもり２３に対応した吊持荷重が支持されて第二制動機７の制動能力が、第一制動機６における制動作用の検定と同様に検定される。また、巻上機２の制動力設定の作業時にエレベーターの乗場床に操作具１７が仮設されるので、安定した場所において容易に操作具１７を操作することができ作業能力を向上することができる。なお、この実施の形態における巻上機２は主索巻取り式のものであるが、これに限るものではなく、例えばトラクションシーブ式の巻上機であっても同様の効果を得ることが出来る。
【００３５】
【発明の効果】
この発明は以上説明したように、巻上機に設けられた制動用回転体をそれぞれ制動する二組の制動機と、条体をなす外筒及びこの外筒に挿通された芯線によって構成された可撓性ケーブルからなり制動機のそれぞれに設けられて一端が制動機に連結され、芯線が牽引されて制動機の制動作用を解放する解放用ケーブルと、これらの解放用ケーブルの他端側における外筒がそれぞれ保持された固定部及びこの固定部に装備されて芯線がそれぞれ連結され芯線を牽引する操作レバーが設けられて、人為操作による操作レバーの操作を介して制動機の制動作用を解放する操作具とを設けたものである。そして、一方の解放用ケーブルの他端側における外筒端部の操作具の固定部による保持を解除して操作レバーの操作による芯線の牽引作用を解消するものである。
【００３６】
このようにして、操作具の固定部による二組の制動機の一方の解放用ケーブルの外筒の保持を解除し、操作具の操作による芯線の牽引作用が解消される。このため、操作具の操作時に二組の制動機の一方の制動作用が継続し、他方の制動機の制動作用が解除されるので、二組の制動機を一組ずつ制動動作して制動能力を検定することができる。したがって、巻上機の制動力設定のためにかごに積み込む設定用おもりの重量を１／２とすることができる。これにより、制動作用の検定荷重として設定用おもりをかごに積み込み、また撤去する作業の労力と作業時間が減少するので、容易に巻上機の制動力を設定でき作業能率が向上し、費用を節減する効果がある。
【００３７】
また、この発明は以上説明したように、人為操作によって要時に一側が操作レバーに係止され、他側は一方の解放用ケーブルの他端側における外筒端部を保持して操作レバーの操作による芯線の牽引作用を解消する保持片を設けたものである。
【００３８】
このようにして、二組の制動機の一方の解放用ケーブルの外筒を保持片によって操作具に対して所定位置に保持し、操作具の操作による芯線の牽引作用が解消される。このため、操作具の操作時に二組の制動機の一方の制動作用が継続し、他方の制動機の制動作用が解除されるので、二組の制動機を一組ずつ制動動作して制動能力を検定することができる。したがって、巻上機の制動力設定のためにかごに積み込む設定用おもりの重量を１／２とすることができる。これにより、制動作用の検定荷重として設定用おもりをかごに積み込み、また撤去する作業の労力と作業時間が減少するので、容易に巻上機の制動力を設定でき作業能率が向上し、費用を節減する効果がある。
【００３９】
また、この発明は以上説明したように、巻上機の制動力設定作業時に操作具を、巻上機によって運転されるエレベーターの乗場床に仮設するものである。
【００４０】
このようにして、エレベーターの乗場床に仮設された操作具の固定部による二組の制動機の一方の解放用ケーブルの外筒の保持を解除し、操作具の操作による芯線の牽引作用が解消される。このため、操作具の操作時に二組の制動機の一方の制動作用が継続し、他方の制動機の制動作用が解除されるので、二組の制動機を一組ずつ制動動作して制動能力を検定することができる。したがって、乗場床に仮設された操作具を容易に操作でき、また巻上機の制動力設定のためにかごに積み込む設定用おもりの重量を１／２とすることができる。このため、制動作用の検定荷重として設定用おもりをかごに積み込み、また撤去する作業の労力と作業時間が減少するので、容易に巻上機の制動力を設定でき作業能率が向上し、費用を節減する効果がある。
また、巻上機の制動力設定の作業時にエレベーターの乗場床に操作具が仮設されるので、安定した場所において容易に操作具を操作することができ作業能力を向上する効果がある。
【図面の簡単な説明】
【図１】  この発明の実施の形態１を示す図で、後述する図１１相当図。
【図２】  図１の正面図。
【図３】  図１の保持片の拡大斜視図。
【図４】  後述する図１１に示す状態の操作具に保持片を装着する状況を説明する図。
【図５】  図１における解放用ケーブルの動作状態を説明する図。
【図６】  図１における解放用ケーブルの他の動作状態を説明する図。
【図７】  エレベーターの構成を概念的に示す立面図。
【図８】  図７における巻上機の制動力設定作業を説明する図。
【図９】  図８における制動機の解放用ケーブルの配置を示す図。
【図１０】  図９の操作具の拡大図。
【図１１】  図１０の正面図。
【符号の説明】
２  巻上機、５  制動用回転体、６  第一制動機（制動機）、７  第二制動機（制動機）、１１  第一解放用ケーブル（解放用ケーブル）、１２  外筒、１３芯線、１４  第二解放用ケーブル（解放用ケーブル）、１５  外筒、１６  芯線、１７  操作具、１９  固定部、２１  操作レバー、２７  保持片。
【図１】
0004421069.tif 000002
【図２】
0004421069.tif 000003
【図３】
0004421069.tif 000004
【図４】
0004421069.tif 000005
【図５】
0004421069.tif 000006
【図６】
0004421069.tif 000007
【図７】
0004421069.tif 000008
【図８】
0004421069.tif 000009
【図９】
0004421069.tif 000010
【図１０】
0004421069.tif 000011
【図１１】
0004421069.tif 000012